(57)【特許請求の範囲】
【請求項１】
第１部分（２）と第２部分（３）を有するハウジング（１）と、このハウジングの内部の空間を搾乳機のティートカップに連結させるようになっている、少なくとも１個の注入口部材（8,8',9,9'）と、ハウジング（１）の内部空間を導管部材を通して搾乳機のミルク収集部材に連結するようになっている引出口部材（６）、上記の搾乳機に連結されるようになっている少なくとも１個の注入口パイプ（26）および上記ティートカップに連結されるようになっている少なくとも１個の引出口パイプ（28）から成る分配部材（25）から成り、この引出口部材（６）が第１部分（２）上に配置され、上部注入口部材（8,8',9,9'）が第２部分上に配置されており、しかも、分配部材が、上記の注入口パイプが引出口部材と同じ方向に向くように第１部分に配置されて、第１部分が、第２部分に対して、クローが搾乳する動物に接触した時に、導管部材が原因で、ねじれ力がクローにかからないような位置に回転可能であることを特徴とする搾乳機のクロー。
【請求項２】
垂直に延びるハウジング（１）が中心軸（５）を有し、クローが作動位置にある時には、第１部分（２）が、第２部分（３）に対して中心軸を中心に回転することを特徴とする請求項１に記載のクロー。
【請求項３】
第１部分（２）が、第２部分（３）に対して連続的に回転することを特徴とする請求項１と２のうちのいずれか１つに記載のクロー。
【請求項４】
クローが作動位置にある時には、第２部分（３）が第１部分（２）の下に配置されていることを特徴とする請求項１ないし３のうちのいずれか１つに記載のクロー。
【請求項５】
第１部分（２）を、第２部分に対して、上記の方向に回転させるロック部材（15,30）を特徴とする請求項１ないし４のうちのいずれか１つに記載のクロー。
【請求項６】
第１部分が放射状に外に向いている第１フランジ（13）を具備し、第２部分（３）が放射状に外に向いている第２フランジ（14）を具備し、この第1,第２のフランジ（13,14）を互いに圧縮するためにロック部材（15,30）が配置されていることを特徴とする請求項５に記載のクロー。
【請求項７】
ロック部材（15）が第1,第２フランジ（13,14）とそれぞれ噛み合っている２つの相対するフランジ（15a,15b）を具備したプロファイル・クランプから成ることを特徴とする請求項６に記載のクロー。
【請求項８】
第１部分と第２部分との間の境目でハウジング（１）の内部空間を密閉するためのシール部材（17）を特徴とする請求項１ないし７のうちのいずれか１つに記載のクロー。
【請求項９】
シール部材が、第1,第２フランジ（11,12）間に配置されたシールリング（17）から構成されていることを特徴とする請求項６または８に記載のクロー。
【請求項１０】
引出口部材（６）がクローのハウジング（１）の外に横方向に延びている引出口ニップルから成ること、パルセーション・バキュームを搾乳機から分配部材（25）に移動させるようになっている導管部材が少なくとも１つのパルス導管から成ること、上記の引出口パイプ（28）が引出口導管によりティートカップのパルセーションチャンバに連結されるようになっていることを特徴とする請求項１ないし９のうちのいずれか１つに記載のクロー。
【請求項１１】
ハウジング（１）が、ハウジングの底部を形成している第３部分（４）から成ること、第２部分（３）が、第１部分と第３部分との間に配置されていることを特徴とする請求項１ないし10のうちのいずれか１つに記載のクロー。
【請求項１２】
ハウジング（１）の内部空間内に配置され、引出口部材（６）の外側、下方にハウジングの底部方向に延びている吸引パイプ（20）を特徴とする請求項１ないし11のうちのいずれか１つに記載のクロー。
【請求項１３】
放射状突出翼様部材（22）が、各吸入口部材の下に、スペースが区切られた状態になるように、吸引パイプ（20）に取り付けられていることを特徴とする請求項12に記載のクロー。
【請求項１４】
ハウジング（１）には、クローが作動位置にある時には、垂直に延びている中心軸（５）があること、それぞれが個別にティートカップに連結されている４個の注入口部材（8,9）が、搾乳する乳牛の前方の２つの乳首に連結されるようになっている第１の組の注入部材（８）が、乳牛の後方の乳首に連結されるようになっている第２の組の注入部材（９）よりも、垂直軸（５）に対して高い位置になるように、第２部分に２つ１組の対で配置されていることを特徴とする請求項１ないし13のうちのいずれか１つに記載のクロー。
【請求項１５】
第２部分（３）が、注入口部材（8,9）が配置されている場所でドーム状の形状になっていること、注入口部材の第１組（８）が、そのドーム状の場所において、第２組（９）よりも高い位置にあることを特徴とする請求項14に記載のクロー。
【請求項１６】
注入口部材の第１の組（８）が、斜め前方上方に、中心軸と直角を形成している水平面（10）に対して、第１の角度（ａ）で延びており、第２の組（９）が、斜め後方上方に、水平面（10）に対して、第２の角度（ｂ）で延びており、第１の角（ａ）が第２の角（ｂ）よりも大きいことを特徴とする請求項14または15のいずれか１つに記載のクロー。
【請求項１７】
注入口部材の第１の組（8,8'）の２つの部材の間の距離が、第２の組（９）の２つの部材の間の距離よりも長いことを特徴とする請求項14ないし16のうちのいずれか１つに記載のクロー。
【請求項１８】
各注入口部材が、ハウジング（１）の壁部を貫通して延びている流路（8,8',9,9'）から成ること、ハウジング（１）の、流路が貫通している壁部の一部が平行の平面表面になっていることを特徴とする請求項１ないし17のうちのいずれか１つに記載のクロー。
【請求項１９】
注入口部材（8,9）がハウジング（１）から延びている管状エレメントから構成されていることを特徴とする請求項１ないし18のうちのいずれか１つに記載のクロー。
【発明の詳細な説明】
発明の背景と先行技術
本発明は、第１部分と第２部分を有するハウジングと、このハウジング内部の空間を搾乳機のティートカップに連結させるようになっている少なくとも１個の注入口部材と、ハウジングの内部空間を導管部材により搾乳機のミルク収集部材に連結するようになっている引出口部材、上記の搾乳機に連結されるようになっている少なくとも１個の注入口パイプおよび上記ティートカップに連結されるようになっている少なくとも１個の引出口パイプから成る分配部材から成り、この引出口部材が第１部分上に配置され、上記注入口部材が第２部分上に配置されている搾乳機用のクローに関する。
EP−Ｂ−418260には、クローが動作位置にある時には、垂直に延びている中心軸と、上下部分を有するハウジングから成るクローが開示されている。ハウジング内部の空間が、搾乳機のティートカップ１つ１つに連結される４個の注入口部材を通してミルクを受けるためのチャンバを形成している。ミルク導管を通してミルク収集ユニットに連結されている引出口部材が上記のチャンバから延びている。引出口部材と注入口部材はハウジングの上部に固定された状態で配置されており、互いに動けないようになっている。引出口部材は、放射状に外に延び、ハウジングの中心軸に直角に延びている引出口ニップルから構成されている。注入口部材は、２つ１組の対で配置されている４個の注入開口部から構成されており、組の一方は、乳牛の前方の乳首に使用されるティートカップに連結されるようになっており、別のほうは、乳牛の後方の乳首に使用されるティートカップに連結されるようになっている。注入口部材は垂直の中心軸上の同じ高さにある上部の円錐状の表面に配置されている。
そのようなクローの場合に、乳牛の搾乳中における理想的な搾乳位置は、背部の乳首用の注入口部材と前部の乳首用の注入口部材との間および引出口ニップルの長手方向軸との間で得られる仮想の長手方向の中心線により与えられるものであるが、これは、上から見た時には、乳牛の中心線と一致し、前方の乳首間の中心と後方の乳首間の中心に延びている線でもある。しかし、この理想的な動作位置は現実には決して得られない。その理由は、引出口ニップルと乳牛の側部にあるミルク収集ユニットに連結されているミルク導管からクローを回そうとする力がかかるからである。このミルク導管は、比較的重く固い透明のホースであり、１個または数個のパルス導管に連結される場合に、水平方向および垂直方向の、クローにかかるねじれ力が重要となる。そのようなクローの回転は、乳首のティートカップの位置に影響を与え、乳首の回転またはねじれが発生し、乳首槽を締め付けることになり、乳房からの搾乳が妨げられるか不可能になる。
この問題を克服するために、例えば、クローおよび／またはミルク導管を適当な位置に保持しておくためのサービスアームのようなデバイスを導入することが提案されている。しかし、そのような付属部品を導入することによるコスト増大という事実の他に、そのデバイス自体が搾乳の邪魔になり、取り付けのための追加作業も必要となるという短所がある。
さらに、SE−Ｂ−449154には、上下部分を有するハウジングから成るクローを具備した搾乳機が開示されている。４個の注入口ニップルは、上部に配置されて、ハウジングの内部空間を、導管を通して搾乳機の個別のティートカップに連結させるようになっている。４個の引出口ニップルは、下部に配置されて、ハウジングの内部空間を、導管を通して搾乳機の個別のティートカップに連結させる。ハウジングの内部空間には、４個の中間壁部があり、この壁部が、ハウジングの内部空間を等しい大きさを有する４つのチャンバに分割させている。１個の注入口ニップルと１個の引出口ニップルが各チャンバに連結されている。上部が90゜の角度の固定ステップで下部に対して回転できるようになっており、そのために、各注入口ニップルが別の引出ニップルに対して対峙するように配置されている。
DK−Ｃ−74799には、４個の注入口ニップルが配置された上部と引出口ニップルから成る下部を有するクローが開示されている。さらに分配部分が上部に配置され、これは、搾乳機に連結される２個の注入口パイプとそれぞれのティートカップに連結された４個の引出口パイプから構成されている。
下部、上部、分配部材は、それぞれ互いに回転するようになっているけれども、ここで開示されたクローの場合には、分配部材の注入口パイプを、引出口ニップルと常に同じ方向に向くように配置する可能性については何も示していない。
SE−Ｃ−133288には、垂直下方向に延びる引出口ニップルを具備した下部と４個の注入口ニップルを具備した上部を有するクローが開示されている。
SE−Ｃ−104989には、個別に動く注入口ニップルを有するクローが開示されている。これらは、クローの引出口ニップルが延びている下側の部分に配置された上部の場所に取り付けられている。
発明の概要
本発明の目的は、上記の問題を克服し、搾乳中に乳牛の乳首のねじれ、または、変形が起こらないような構造を有するクローを提供することである。
この発明の目的は、注入パイプが引出口部材と同じ方向を向き、第１部分が第２部分に対して回転するようになっており、搾乳のためにクローを乳牛に取り付けた時に、導管部材が原因で、ねじれ力がクローにかかることのないように、分配部材が第１部分に配置されているクローを導入することにより達成される。このようなクローを導入することにより、引出部部材が搾乳機のミルク収集部材の方向を向き、つまり、引出口部材と搾乳機との間にある導管部材が原因でクローに対してねじれ力、すなわち、クローを回転させようとする力がかかることのないように、同時に乳牛の乳首にとって最も最適な動作位置を提供できるように、引出口部材を注入口部材に対して配置させることができる。このような実施態様においては、パルス導管により、クローにかかるねじれ力を補正することが可能である。
本発明の実施態様によれば、第１部分が第２部分に対して回転するようになっている。そのような回転運動を利用することで、本発明を構造的にも簡単に実現を可能にする。ハウジングには、クローが動作位置にある時には、垂直に延びる中心軸があること、第１部分は、第２部分に対して、その中心軸の周りを回転することが利点となっている。第１部分は第２部分に対して連続的に回転するので、最適の運転位置が確実に得られる。
さらに実施態様によれば、クローが動作位置にある時には、第２部分が第１部分の下に配置されている。このことは、引出部材が注入口部材の上部、つまり、乳牛に近い位置に配置されるということを意味する。引出口部材に連結されているミルク導管の重さのために、注入口部材をティートカップに連結させている導管の部分に位置する点の周りでクローは回転しやすい。そのために引出口部材が、注入口部材より下側に位置している場合に較べて短くなる。
さらに実施態様によれば、クローはロック部材から成り、これにより、第１部分を、第２部材に対して、上記の位置でロックができることになる。
それにより、注入口部材の方向を事前に調整することができ、特定の搾乳プラントに合わせた位置でロックが可能となる。第１部分は、放射状に外に向いている第１フランジを具備し、第２部分は、放射状に外に向いている第２フランジを具備し、第1,2フランジを互いに圧縮するためのロック部材が設けられている。そのようなロック機能を実現するために、ロック部材として、第１と第２フランジを噛み合わせる２個の対峙するフランジが具備されたプロファイル・クランプを使用することができる。
ミルクの漏れを防止するために、ハウジングの内部空間を、第１部分と第２部分との境目で密閉するためのシール部材が設けられている。このシール部材が、第1,第２フランジ間に配置されたシールリングから成っていることは長所であると言える。
さらに実施態様によれば、引出口部材は、クローのハウジングから水平方向の外側に延びている引出口ニップルから構成され、導管部材は、パルセーション・バキュームを搾乳機から分配部材に送るように配置された少なくとも１個のパルス導管から成り、上記の引出口パイプは、引出口導管を通して、ティートカップのパルセーションチャンバに連結されるようになっている。分配部材が関節のように折れ曲がる構造になっているために、ティートカップのパルセーションチャンバに連結された引出口導管は自然にわずかに曲がるが、鋭利なたわみや褶曲は見られない。
実施態様では、クローはハウジングの内部空間に配置され、注入口部材からハウジングの底部に向かって下方に延びている吸入パイプから構成されている。放射状に突出した翼様の部材は、各吸引部材の下で、スペースが区分されるように吸引パイプ上に配置されている。そのような翼様部材により、感染した乳首からのミルクが別の乳首に触れてこれに感染することを防止している。
さらに別の実施態様によれば、ハウジングには、クローが動作位置にある時には垂直に延びている中心軸があり、それぞれが個別にティートカップに連結されている４個の注入口部材が、２つで１組の対として、第２部分に設けられ、搾乳する乳牛の前方の２つの乳首に連結される第１の組は、乳牛の後方の乳首に連結される第２の組よりも、位置的に高い場所に延びるようになっている。通常の場合、乳牛の前方の乳首は、後方の乳首よりも高い位置にある。この実施態様により、クローの中心軸が、搾乳中にクローが乳牛に接触している時に、垂直に延びることができ、乳首間のレベル誤差を補正することが可能となる。さらに、第２部分が、注入口部材が配置されている場所でドーム状の形状になっており、さらに注入口部材の第１組が、そのドーム状の場所において、第２組よりも高い位置にある。注入口部材の第１の組が、斜め前方上方に、中心軸と直角を形成している水平面に対して、第１の角度（ａ）で延びており、第２の組は、斜め後方上方に、水平面に対して、第２の角度（ｂ）で延びている。乳牛の前方乳首の位置が後方の乳首のそれよりも高い所にあるという点を補正するために、第１の角度が第２の角度よりも大きくなっている。
さらに、注入口部材の第１の組の２つの部材の間の距離が、第２の組の２つの部材の間の距離よりも長い。乳牛の前方の乳首間の距離のほうが、後方の乳首のそれよりも長いという事実を考慮に入れる必要がある。
各注入口部材が、ハウジングの壁部を貫通して延びている流路から成り、そのハウジングの、流路が貫通している壁部の一部が平行の平面表面を形成している。この構成の代替として、各注入部材をハウジングから延びている管状エレメントで構成するようにしてもよい。
【図面の簡単な説明】
種々の実施態様により、図面を参照しながら、本発明についてさらに詳しく説明する。
図１は、本発明の最初の実施態様におけるクローの垂直断面図である。
図２は、図１のクローの一部を上部から見たものである。
図３は、図２で示した線III−IIIに沿って切った断面図である。
図４は、図１のクローの別の一部を上から見た部分断面図である。
図５は、本発明の第２の実施態様におけるクローの垂直断面図である。
図６は、第２の実施態様におけるクローの一部を上部から見たものである。
図７は、図６で示した線VII−VIIに沿って切った断面図である。
図８は、本発明のクローを使用して搾乳中の動物の側面図である。
図９は、本発明のクローを使用して搾乳中の動物を後ろから見た図である。
種々の実施態様の詳しい説明
図1~図７には、本発明によるクローが開示されており、それはハウジング１で構成されている。ハウジング１は、第１上部部分2,第２中間部分3,第３下部部分４から成る。クローが最適の動作位置にある時には、中心軸５がハウジング１の中心を貫通して実質的に垂直に延びている。第１上部部分２の上側には引出口部材が設けられ、それは、例で示したように、中心軸５に対して放射状に、ハウジング１と上部部分２の外側に延びた引出口ニップル６から成り、この引出口６には長手方向に延びた中心軸７があり、この軸は中心軸５に対して直角を形成している。中間部３には、４個の注入口8,9,8'、9'がそれぞれ設けられている。別の実施態様において、これらの構成部と同じ機能を有するものは、同じ参照符号を付してある。
図1~3で示した実施態様によれば、注入口部材8,9は、４個の管状部材から成り、これらは斜め方向、外側に広がり、注入口ニップルを構成している。各注入口ニップル8,9は、短形ミルク導管（図示していない）に連結されるようになっており、その導管はさらにティートカップ（図示していない）に接続されている。注入口ニップル８は、搾乳する乳牛の前方の２つの乳首に連結されたティートカップにつながるようになっており、注入口９は、乳牛の後部の乳首に連結されたティートカップにつながるようになっている。図３で示したように、前方の注入口ニップル８は、後方の注入口ニップル９よりも、中心軸５と直角をなしている水平線10に対して、より高い位置に延びている。注入口ニップルの8,9の長さが同じであるので、このような高さ状態にするために、中間部３上で、前方の注入口ニップル８の位置を後方の注入口ニップル９よりも高い位置に設けている。前方の注入口ニップル８は、長手方向に斜め前方の外側で水平線10に対して傾き角ａをなして延びており、後方の注入口ニップル９は、長手方向に斜め前方の外側に、水平線10に対して傾き角ｂをなして延びている。ここで注意すべきことは、角a,bが注入口部材8,9の長手方向の傾きを規定し、この角のつくる２つの面が中心軸５に対して放射状であり、図２での線III−IIIで切った断面図と一致していることである。図３で示したように、角ａは角ｂよりも大きい。さらに、図２で示したように、前方の注入口ニップル８、8'間の距離は、後方の注入口9,9'間の距離よりも長い。
図５〜７の実施態様において、各注入口部材8'、9'は、ハウジング１の壁を貫通して延び、ミルク導管11の表面に設けられ、図７のように、その回りを取り囲んでいる２個のリブ11a、11bによりハウジング１に固定された短形ミルク導管11に連結されるようになった注入口流路から成っている。実際上はティートカップライナーが延長されたものである短形ミルク導管11は、標準品のもので、単一の長さに生産されていることが好ましい。短形ミルク導管／ティートカップ・ライナーは容易に生産されて、その取り替えも簡単になっているが、その理由は、特別な注入口流路に対しての個別のティートカップの位置を考慮する必要がないためである。図５〜７で示されたハウジング１が壁部（壁）を形成しており、それにより、ハウジングの内側の空間が区切られている。この壁部には、各流路8'、9'を囲んでいる壁部12があり、この中を流路8'、9'が貫通して延びている。この壁部12は、実質的に平行平面状態、つまり、その外側表面と内側表面とが平行になっている。これらの表面は実質的に平らである。このことは、リブ11a、11bは、流路近くを密閉して、空気がハウジング１の中の流路8'、9'の端部とその流路8'、9'により導入されるミルク導管11との間の内部空間に侵入することを防ぐことを意味する。各流路8'、9'は、壁部12と直角の方向に延びている（図７）、つまり、流路8'、9'の端部が壁部12の外部表面と内部表面に直角である点に注目する必要がある。こうすることにより、流路8'、9'の回りのミルク導管11のハウジングに対するシール機能が一層改善される。それぞれの壁部12間に挟まれた場所では、ハウジング１は任意の形状にすることができる。図１〜３での実施態様と同じように、４個の注入口部材8'、9'が２つ１組で設けられており、搾乳する乳牛の２個の前部乳首に連結される最初の組8'は、乳牛の後部の乳首に連結される２番目の組9'よりも、垂直軸５の位置から見てより高い位置に配置されている。（図７）さらに、４個の注入口8'、9'部材が具備されており、この注入口部材の流路の部分がハウジング１の壁部を貫通してまっすぐに乳首の方向に延び、最終的に、その乳首にその部材が連結されるようになっている。流路8'、9'の方向は、ハウジング１の壁部と垂線を形成し、この壁部12の平行平面部を貫通している。このことは、実質的に平面状の平行表面から成る壁部12は、水平面10とは平行ではなく、傾いた状態になっており、つまり、流路の最初の組8'が壁部12中に作る垂線は、水平面10との間で形成される第１の角度ａだけ傾いた状態で前部から外側に広がっており、一方、乳牛の後部乳首に連結されることになっている第２の流路の組9'の作る垂線は、水平面10との間で形成される第２の角度ｂだけ傾いた状態で後部から外側に広がっている。角度ａと角度ｂが、注入口部材8'、9'の方向の傾きを規定しており、この２つの面が図６の断面図の線VII−VIIと一致している。図７における角a,bは、乳牛の前部と後部の乳首の高さの差、つまり、通常後部の乳首はより低い位置にあるという事実、前部乳首と後部のそれとの間の距離、前部の乳首間相互の距離、後部の乳首間相互の距離により決まる。さらに、図６に開示されているように、前部の注入口メンバ8'間の相互の距離ｃは、後部注入口9'間の対応する距離よりも���い。
上部２は、放射状突出フランジ13から成り、中間部３は放射状突出フランジ14から成る。上部２と中間部３は、ロック部材により一体的に保持されており、このロック部材は、図１〜３で開示された態様では、プロファイル・クランプ15として示されている。プロファイル・クランプ15は、相対する２個のダイレクト・フランジ15a、15bから構成されており、このフランジの一方は、斜め上方に広がり、他方は、斜め下方に広がっており、放射状突出フランジ13と14の斜め表面に接触している。プロファイルクランプ15が、例に示されたようなネジ部材16により圧縮されると、フランジ13と14が互いに反対側に押されるようになっている。ハウジング１の内部空間を密閉するために、放射状突出フランジ13,14の間にシールリング17が設けられている。開示例において、放射状突出フランジ14は、周りに広がっているリセス18から構成されており、このリセスにはシールリング17が具備され、さらに、この放射状突出フランジは、シールリング17の外部直径と対応する直径を有するリセス19から成る。ハウジング１の内部には、吸引パイプ20が配置されている。このパイプは、中央軸５の方向に広がり、支持部材21によりハウジングの底部からのある一定の距離のところで支えられている。この吸引パイプ20の上部先端で、中間部３の内部壁部に接触するようになっている。吸引パイプ20は、ハウジング１の内部空間に固定されている。図１で示されているように、この吸引パイプ20は、４個の翼22から成っており、それぞれ放射状の平面を形成し、４枚の隣合う面は互いに約90゜の角度になっており、注入口部材8,9のそれぞれの間に外方向で放射状に広がっている。
図１で示されているように、クローは、上部２に配置された閉鎖バルブ23から成り、中心軸５に沿って配置換えが可能である。閉鎖バルブ23は、クローが動物に接触した時に、自動的に引出口部材を閉鎖するようになっている。さらに、このクローはサスペンション部材24から成っている（図１参照）。
図４に示されているように、クローは、上部２に配置された２個の分配部材25から構成されている。各分配部材は、注入口パイプ26から成り、そのパイプにはそれぞれ長手方向の軸27がある。これらの軸27は、引出口ニップル６の長手方向軸７に平行となっている。さらに、各分配部材25は、２個の注入パイプ28から成り、短パルス導管（図示されていない）によりティートカップ（図示されていない）のパルセーション・チャンバに連結されている。各分配部材25は、上部２に配置された２個の支持部材29に取り付けられて、各長手方向の軸27の周りを回転するようになっている。
図５で示されたクローには、プロファイル・クランプが付いていないが、その代わりに、クローの中心軸５に沿って延びているボルト30により固定保持されている。ボルト30は、上部２に接触しているステップ31から成り、ボルト低部には、ネジがあり、そのネジにナットが締められている。ナット32を締めることにより、３つの部分2,3,4が互いに圧縮されて、上部３が、中間部３に対して任意の回転方向にロックされる。上端部のボルト30には、サスペンション部材（図示されていない）が具備されている。クローは上部から見て円形でなく、背部方向に四角形のテイパー形状を成していること、つまり、前方の端部が背部の端部よりも長くなっていることは注目すべきことである。注入口8,9のある位置がそのような形状になっている。
搾乳する動物の乳首に、深い前後の先端を持つクローを取り付けることにより、中間部３に対して、引出口ニップル６から成る上部２の固定と回転位置が確保されることが長所である。これらの固定または回転位置は、それぞれ互いに約90゜の角度をもって配置されており、これにより、搾乳機を搾乳する動物の前部、側部、背部のどの位置にでも設置できることになる。
実際の使用では、このクローは、図１〜９で示したように、ティートカップ（図示していない）からのミルクは、注入口部材8,9と8'、9'によりそれぞれ吸引されて、まずハウジング１の内部空間に入る。ここから、ミルクはさらに吸引パイプ20により吸引されて、ミルク導管33により搾乳機34の収集容器に連結されている引出口ニップル６に送られる。
ミルク導管33は、分配部材25を搾乳機（図示していない）の真空ポンプに接続させている２つのパルス導管（図示していない）に平行に延びている。ミルク導管とパルス導管は導管パッケージに連結させてもよい。この導管パッケージは、必然的に固くて重いために、大きなねじれ力がクローにかかる。ここで示したクローを使用する場合には、中心軸５の周りを、中間部３に対して上部２が回転することにより、このねじれ力を最小に抑えることが可能となる。引出口ニップル６がミルク導管33とパルス導管が延びている方向に向くように、上部２が大きく回転することが好ましい。この方向はクローが使用されている搾乳ストールの中での配置状態により規定される。最良の方向が選択される時に、ナット32またはネジ部材16を締め付けることにより、上部２が中間部３に対してロックされることになり、それにより、プロファイル・クランプ15の放射状突出フランジ13と14を互いに圧縮させる。
図８と９で示しているように、本発明によるクローは、つり下げられた状態で、その中心軸が垂直である。このために、乳首位置で下に引っ張る力が実質的に同じとなり、そのことにより、どの乳首からも均一で等しいミルク吸い出し力が確保されることになる。クローに集められたミルクが均一で連続する流量で伝送され、このことにより、いわゆる、衝撃と逆流とい言われるリスクを回避することが可能となる。
本発明は、ここで示した実施態様に限定されるものではく、下記のクレームの範囲内で種々に変更されるものである。例えば、クローと搾乳機との間の高さ誤差を補正するために、ミルク導管の重量によりクローに与えられた下方方向の回転力により、引出口ニップル６と上部２を、中間部３に対して垂直方向に回転させるようにしてもよい。
【図１】
0003657996.tif 000002
【図２】
0003657996.tif 000003
【図３】
0003657996.tif 000004
【図４】
0003657996.tif 000005
【図５】
0003657996.tif 000006
【図６】
0003657996.tif 000007
【図７】
0003657996.tif 000008
【図８】
0003657996.tif 000009
【図９】
0003657996.tif 000010